(57)【要約】【課題】  ユーザーにボイスメモを記録することが可能な状態かどうかを伝え、記録可能な場合に、記録開始時期を知らせることができるボイスメモ付きテレビジョン装置を提供する。【解決手段】  記録・停止ボックス５５は、記録可能状態であることを示す○、記録停止中であることを示す□を表示する。この場合、記録停止表示ボックス５５の右に示す数字の１は、記録又は停止を実行するリモコン２０のキーが１ＣＨキーであることをユーザーに示している。さらに、Ｇｏサインボックス５９は、記録可能状態を認識してから、ユーザーに対して、音声の発生タイミングを表す表示ボックスである。例えば、「３，２，１」というカウントダウン方式で表示されて、最後に、「Ｑ」マークを表示する。【選択図】  図５
2005292648.tif 000002
【特許請求の範囲】
【請求項１】
ユーザーの音声情報を記録又は再生する機能を搭載したボイスメモ機能付き映像表示装置において、
ユーザーの音声情報を入力し、該音声情報に所定の音声処理を施した音声データを生成する音声処理部と、
前記ユーザーの音声データを入力する際に、前記音声情報が記録可能又は記録中の是非を判別する記録動作判別部と、
音声データファイルの記録開始・停止又は再生制御するためのユーザー操作を支援する操作設定画面を生成する操作設定画面生成部と、
前記音声データファイルを前記カード型記録媒体に対して記録又は再生するように制御を行う制御部と、
前記操作設定画面を表示する表示部と、を備えたことを特徴とする映像表示装置。
【請求項２】
前記記録動作判別部は、リモコンの所定のキーが押下中のみ音声情報が記録可能であると判別することを特徴とする請求項１に記載の映像表示装置。
【請求項３】
前記記録動作判別部は、前記音声を記録可能であると判別した場合、ユーザーに対して音声記録開始の準備サインを示す表示を前記操作設定画面上に表示するように前記操作設定画面生成部に指令を与えることを特徴とする請求項１又は請求項２に記載の映像表示装置。
【請求項４】
前記操作設定画面生成部は、前記記録動作判別部が、前記音声情報を記録中であると判別した場合に、前記操作設定画面上に前記音声情報の記録状態の表示を変更することを特徴とする請求項１から請求項３のいずれか１項に記載の映像表示装置。
【発明の詳細な説明】
【技術分野】
【０００１】
本発明は、ユーザーの音声メッセージを記録又は再生する映像表示装置に関する。
【背景技術】
【０００２】
従来技術として、テレビジョンのスイッチを入れた後、所定時間が経過すると、テレビジョンの映像が切れて、母親の声で「もう○△時間もＴＶを見ましたよ・・・云々」という音声が、例えば、子供に対して流れるようにしたボイスメモを与えるタイマー回路とテープレコーダースイッチを備えたテレビジョン受像機が提案されている（特許文献１参照）。
【０００３】
また、最近では、ボイスメモを記録再生する機能を有し、ボイスメモを記録・再生できるテレビジョン受像機も存在するようになってきている。このようなテレビ受像機は、ユーザーが見ている最中においても、テレビの周囲の音声環境を考慮しつつ、ボイスメモを記録・再生可能なものとなっている。
【特許文献１】特開昭４９−３８５１８号公報
【発明の開示】
【発明が解決しようとする課題】
【０００４】
しかしながら、上記に示した従来の技術では、例えば、テレビを観ている最中に、緊急的に、ボイスメモを記録する必要が出てくる場合もある。このような場合に、ユーザーが記録作業をする際に、ボイスメモ機能における記録可能状態が事前に把握できないために、記録をして良いものかどうか発声前にためらいを感じることが多い。
【０００５】
また、いつ記録が開始しているのか判断することができない場合、ユーザーに不快感や困惑を与えることになる。
【０００６】
そこで、本発明は、斯かる実情に鑑み、ユーザーにボイスメモを記録することが可能な状態かどうかを伝え、記録可能な場合に、記録開始時期を知らせることができる映像表示装置を提供しようとするものである。
【課題を解決するための手段】
【０００７】
本発明に係る映像表示装置は、上述した課題を解決するため、以下の特徴点を備えている。
【０００８】
本発明に係る映像表示装置は、ユーザーの音声情報を記録又は再生する機能を搭載したボイスメモ機能付きテレビジョン装置において、ユーザーの音声情報を入力し、該音声情報に所定の音声処理を施した音声データを生成する音声処理部と、前記ユーザーの音声データを入力する際に、前記音声情報が記録可能又は記録中の是非を判別する記録動作判別部と、音声データファイルの記録開始・停止又は再生制御するためのユーザー操作を支援する操作設定画面を生成する操作設定画面生成部と、前記音声データファイルを前記カード型記録媒体に対して記録又は再生するように制御を行う制御部と、前記操作設定画面を表示する表示部と、を備えたことを特徴とする。
【０００９】
本発明に係る映像表示装置装置は、前記記録動作判別部が、リモコンの所定のキーが押下中のみボイスメモ記録可能であると判別し、前記所定のキーが押されていない場合には、記録可能でないと判別することを特徴とする。
【００１０】
本発明に係る映像表示装置は、前記記録動作判別部は、前記音声を記録可能であると判別した場合、ユーザーに対して音声記録開始の準備サインを示す表示を前記操作設定画面上に表示するように前記操作設定画面生成部に指令を与えることを特徴とする。
【００１１】
本発明に係る映像表示装置では、前記操作設定画面生成部は、前記記録動作判別部が、前記音声情報を記録中であると判別した場合に、前記操作設定画面上に前記音声情報の記録状態の表示を変更することを特徴とする。
【発明の効果】
【００１２】
本発明に係る映像表示装置は、上述した構成を備えているため、下記の効果を奏することができる。
【００１３】
本発明の映像表示装置によれば、ユーザーの操作によってのみの情報によりボイスメモ記録可能状態とするため、ユーザーは、容易に記録可能であることが認識でき、音声入力の環境状態によらずに音声入力が可能である。
【００１４】
本発明の映像表示装置によれば、ボイスメモ記録可能状態から実際に、ユーザーに対してボイスメモ開始の準備サインを前記操作設定画面上に表示することができ、ユーザーは、このタイミングにより発声することができ、発声前にためらいを感じることなく容易に音声を発生することができる。
【００１５】
本発明の映像表示装置によれば、前記ボイスメモを記録中であると判別した場合に、前記操作設定画面上に前記ボイスメモの記録状態の変更することができるために、適切な操作が可能である。
【発明を実施するための最良の形態】
【００１６】
以下、本発明の実施の形態を添付図面を参照して説明する。
【００１７】
図１〜図４は発明を実施する形態の一例であって、図中、同一の符号を付した部分は同一物を表わすものとする。
【００１８】
図１は、本発明に係る映像表示装置の実施形態の構成を示すブロック図である。
【００１９】
まず、図１を用いて本発明に係る映像表示装置の実施形態の概略構成について説明する。
【００２０】
映像表示装置１０は、テレビジョン放送信号を受信するアンテナ１１と、アンテナ１１によって受信されたテレビジョン放送信号を映像検波し、放送信号（映像信号および音声信号を含む）を出力する受信部１２と、入力された放送信号から映像信号を分離し、Ｒ，Ｇ，Ｂ信号に変換して出力する映像処理部１３と、入力された放送信号から音声信号を分離処理及びユーザーの音声を増幅し、その増幅された音声信号に所定の音声処理を行う音声処理部１４と、上記映像信号および後述するボイスメモための操作設定画面を表示するＣＲＴや液晶ディスプレイ等の表示部１５と、スピーカ１６と、メモリカード等のカード型記録媒体２２が挿入されるスロット部１７と、スロット部１７に挿入されたカード型記録媒体２２と通信制御を行うカード制御部１８と、上記音声処理部１４から伝送される音声データをボイスメモとしてファイル生成・削除等の管理、ボイスメモための操作設定画面の生成等の統括制御を行う音声データ制御部２４と、ボイスメモ付きテレビビジョン装置１０全体を制御する中央制御部（以下、ＣＰＵという）１９と、装置全体の制御を行うためのプログラムが記憶されているＲＯＭ９と、ＣＰＵ１９に各種制御を行うための指示をユーザーが入力する操作部２０とから構成される。
【００２１】
更に、映像信号を表示する表示部１５に表示させたり、音声信号をスピーカ１６に出力したりするために、受信部１２からの放送信号又はカード型記録媒体２２から再生したデジタル信号（映像信号及び音声信号を含む）を選択する選択部２１が設けられている。この選択部２１は、ＣＰＵ１９によって制御される。一般的には、この選択部２１は、セレクタとも呼ばれ、集積回路ＩＣとして実現化されているものもある。
【００２２】
また、受信部１２からの放送信号が選択された場合、映像処理部１３及び音声処理部１４に伝達されると同時に、音声データ制御部２４にも伝達されカード型記録媒体２２に記録することもできる。
【００２３】
カード制御部１８は、カード型記録媒体２２に記憶されている映像信号と音声信号とからなるデータ信号を読み出し、映像信号を映像出力部１３に、音声信号を音声処理部１４にそれぞれ出力する再生処理と、受信部１２から出力される映像信号および音声信号とからなる放送信号をカード型記録媒体２２にデータ信号として書き込む記録処理とを行う。
【００２４】
このように、カード制御部１８は、受信部１２からの放送信号を書き込むための入力ラインとカード型記録媒体に記録されたデータ信号を出力する出力ラインが存在し、記録・再生ができるように双方向性ラインとなっている。
【００２５】
なお、後述するボイスメモ機能が動作した場合には、カード型記録媒体２２に記録された音声データ信号は、後述する音声データ制御部２４を介して選択部２１によって選択されて、映像処理部１３や音声処理部１４に伝送される。また、カード型記録媒体２２に記録する音声データファイルは、音声処理部１４からのユーザーの音声データ信号が直接専用回線により音声データ制御部２４に伝送され、音声データファイル化（詳細は、後述する）されてカード型記録媒体２２に記録される。
【００２６】
次に、放送信号又はボイスメモデータの記録・再生を行うカード型記録媒体２２及びその周辺部の構成並びにその動作について説明する。
【００２７】
図２（ａ）は、カード型記録媒体２２をスロット部１７に挿着した状態を示す図である。
【００２８】
図２（ｂ）は、カード型記録媒体２２をスロット部１７から脱着しようとする状態を示す図である。
【００２９】
スロット部１７は、図２に示すように、挿入されたカード型記録媒体２２が収納されるカード用コネクタ３１と、カード用コネクタ３１に挿着されたカード型記録媒体２２の取り出しを行うためのプッシュロッド３２と、プッシュロッド３２が排出準備状態に移行したことを検出する排出準備状態検出センサ３３と、カード用コネクタ３１および排出準備状態検出センサ３３からの出力に応じて状態信号を出力する信号検出部３４とからなる。
【００３０】
プッシュロッド３２は、２段階の操作によってカード型記録媒体２２を排出する折れ曲がりタイプのプッシュロッドであり、カード用コネクタ３１にカード型記録媒体２２が挿着された状態で、図２（ａ）に示すように折れ曲げることにより、突出状態のプッシュロッド３２の誤操作により接続中のカード型記録媒体２２が意に反して排出されてしまうことを防止している。尚、このような排出機構を実現するプッシュロッド３２の具体的実施形態としては、例えば市販のロック状態を有するプッシュスイッチ及びこれに類するスイッチ部材などが挙げられる。
【００３１】
カード型記録媒体２２をカード用コネクタ３１から排出する際には、図２（ａ）に矢印で示す方向にプッシュロッド３２の折れ曲がり部分を回動させ（第１の操作）、図２（ｂ）に示すように、プッシュロッド３２を直線状にした状態で、プッシュロッド７２を図２（ｂ）に矢印で示す方向に押し込むことにより（第２の操作）、図示しないイジェクトレバーを作用させてカード型記録媒体２２を排出させる。
【００３２】
排出準備状態検出センサ３３は、例えば反射型光センサであり、図２に示すように、プッシュロッド３２の折れ曲がり部分を検出する位置に配置され、プッシュロッド３２の折れ曲がり部分の有無を検出することによって、プッシュロッド３２の折れ曲がり部分を回動させる第１の操作が行われて排出準備状態に移行したことを検出し、排出準備状態検出信号を信号検出部３４に出力する。
【００３３】
信号検出部３４は、排出準備状態検出センサ３３からの排出準備状態検出信号が入力されると、カード用コネクタ３１とカード型記録媒体２２との接続状態を検出するカード検出処理を行い、カード用コネクタ３１にカード型記録媒体２２が挿着されている場合には、排出準備状態検出信号をカード制御部１８に出力する。さらに、信号検出部３４は、カード用コネクタ３１とカード型記録媒体２２との接続状態を検出するカード検出処理を行うことで、カード用コネクタ３１からのカード型記録媒体２２の排出を検出し、カード用コネクタ３１からのカード型記録媒体２２の排出が検出されると、排出確認信号をカード制御部１８に出力する。
【００３４】
カード制御部１８は、信号検出部３４からの排出準備状態検出信号が入力されると、カード型記録媒体２２との間の通信状態を確認する通信状態確認処理を行い、カード型記録媒体２２と通信中である場合には、音声処理部１４を介してスピーカ１６から警報を出力すると共に、映像出力部１３を介して表示部５に警告表示を行ってユーザーに警告を報知することで、ユーザーにカード型記録媒体２２の取り出しを中止することを促す。
【００３５】
なお、カード型記憶媒体２２の現状の一般的仕様としては、ＰＣ−ＡＴＡカードタイプへの搭載が考えられる。ＰＣ−ＡＴＡカードを用いた場合には、プッシュロッド３２によるカード取り出し作業においてプロテクト機能が別段設けられてないことが多いからである。しかしながら本発明の主旨としてはＰＣ−ＡＴＡカードタイプ以外であってもこれに限定するものではない。
【００３６】
次に、本発明に係るボイスメモ付きテレビジョン装置のボイスメモ機能動作について図３から図５を用いて詳しく、以下に説明する。
【００３７】
図３は、図１からボイスメモ機能部分を抜き出したボイスメモ機能ブロック図である。
【００３８】
図４は、ボイスメモの音声データファイルの生成・消去の制御を行う音声データ制御部のブロック図である。
【００３９】
図５は、ボイスメモの操作設定画面の表示状態を示す図である。
【００４０】
上述したように、ボイスメモ機能を実現するために、映像表示装置１０は、音声を入力するマイク２５と、マイク２５から入力された音声を増幅するためのアンプ２３と、アンプ２３によって増幅された音声信号に所定の処理を行う音声処理部１４と、メモリカード等のカード型記録媒体２２が挿入されるスロット部１７と、スロット部１７に挿入されたカード型記録媒体２２と通信制御を行うカード制御部１８と、上記音声処理部１４から伝送される音声データをボイスメモとしてファイル生成・削除の管理、ボイスメモための操作設定画面の生成等を行う音声データ制御部２４とを備えている。
【００４１】
マイク２５は、入力した音声をアナログ音声信号に変換する。このアナログ音声信号は、アンプ２３によって適切なレベルに増幅されて音声処理部１４に入力される。音声処理部１４から出力された音声データ信号は、専用回線を介して、音声データ制御部２４に送られる。次に、音声データは、ボイスメモ用としてファイル化（詳細は後述する）されて、カード制御部１８に送られる。ここで、カード制御部１８に内蔵された信号処理部においてカード型記録媒体２２に書き込むためのデータフォーマットに変換され、カード制御部１８に内在するメモリ（図示せず）またはカード型記録媒体２２に記録される。
【００４２】
なお、カード制御部１８には、カード用マイコン（ＣＰＵを含む）やボイスメモを実行するためのプログラム等を記憶するメモリ、信号処理回路が含まれている。
【００４３】
上述したように、音声処理部１４には、アンプ２３を介してマイク２５が接続されるが、使用できるマイクとしては小型薄型が特徴である全指向性型のコンデンサタイプのマイクが、液晶テレビやプラズマディスプレイなどの薄型ディスプレイに適しているといえる。
【００４４】
音声処理部１４は、音声処理を行うサウンドプロセッサ４１と、ユーザーの希望に応じて適当に音声環境を設定切替する音声設定切替回路４２と、サウンドプロセッサ４１に設定された音声イコライジング用の周波数とは別に設けられた周波数を新たに加えることにより高音強調調整時などの音声環境の微調整することができるパラメトリックイコライザ４３等とで構成される。尚、これらの各部間でデータの相互交換を行う信号バス・インターフェイスとしては、高速にデータ通信を行うために専用のバス・インターフェイスを採用している。
【００４５】
ここで、音声設定切替回路４２は、ユーザーの好みに応じて音声環境を調整するための回路であり、例えば、周知のドルビーデジタル（登録商標）環境からなるバーチャルサウンド環境に応じた音声バランスで制御することもできれば、単純な高音強調等の設定に応じた音声バランスを制御することもできる。
【００４６】
また、パラメトリックイコライザ（ＰＥＱ）４３は、サウンドプロセッサ４１で用意されたイコライジング周波数とは異なるイコライジング周波数によってイコライズされた音声データを処理するための回路であり、これにより同一の音声から拾う集音データをより多く取ることができるため、微妙な音声バランス調整を行うことができる。例えば、サウンドプロセッサ４１からの周波数を１２０／５００／１ｋ／５ｋ／１０ｋＨｚの５種用意したのに加え、パラメトリックイコライザ４３で上記各周波数の間に新たに４つの周波数を追加してイコライズ処理させておき、３００Ｈｚ辺りの低音域を弱める用にバランスを取りたい時は、サウンドプロセッサ４１で用意した１２０及び５００Ｈｚの周波数に対して弱めずに、パラメトリックイコライザで用意した３００Ｈｚの周波数に相当するデータを弱めれば、１２０Ｈｚあるいは５００Ｈｚといった周波数のデータを不必要に弱めることなく（つまり極端に低音域を弱めることなく）、ユーザーの要望に応じた音声バランスを調整することができる。このパラメトリックイコライザによるイコライズ処理はマイクから入力された音声情報を音声データ処理する前に処理することでユーザーの要望に応じた音声環境で記録することが可能になるが、音声ファイルのデータ容量を考慮して記録時にはこの処理を行わずに記録された音声ファイルを再生する時に選択された音声ファイルに対して、スピーカー出力処理前にイコライズ処理を機能させても良い。
【００４７】
このように、アンプ２３で増幅された音声データ信号は、ＳＰ４１に取り込まれた後、音声入力の環境に応じて、音声設定切替回路４２及びパラメトリックイコライザ４３により音声バランス制御されて音声データとして再度、ＳＰ４１に取り込まれる。最終的に取り込まれた音声データは、ＳＰ４１により、常時、音声レベルの検出が行われて、その音声レベルのデータが音声データ制御部２４に伝送される。
【００４８】
次に、表示部１５に表示されるボイスメモの操作設定画面に基づいて音声データ制御部２４の動作について説明する。
【００４９】
音声データ制御部２４は、音声処理部１４から出力される音声データ信号を入力する音声入力部２５と、音声入力部２５から出力される音声データ信号をボイスメモのファイル形式に変換し、ボイスメモファイルとして一時的に保存したり、カード型記録媒体２２に記録したボイスファイルから音声データを抽出したりするための音声データファイル制御部２６と、ボイスメモの記録又は再生するためのユーザー操作を支援する操作設定画面を生成する操作設定画面生成部２７と、ボイスメモための操作設定画面の生成等を行う音声データファイル制御２６と、操作部２０から情報によりボイス記録可能又は記録中であるかの判別を行う記録動作識別部３０と、ボイスメモファイルをカード型記録媒体２２に記録・再生のためのカード制御部１８とのインタフェースであるカード制御インタフェースと、操作設定画面の表示ための映像信号およびボイスメモの再生する音声データ信号を選択部２１に伝送する選択部インタフェース２９とから構成される。
【００５０】
まず、操作部（以下、リモコンという）２０のモード切替キーを押すことによって、ＣＰＵ１９は、モード状態をカードモードに切替る。ＣＰＵからのモード切替指令を受けて、カード制御部１８は、カード型記録媒体２２に記録されている各種アプリケーションのアイコンを表示部１５の画面に表示する。そして、ユーザーは、リモコン２０を用いて、表示されたアイコンのうち、ボイスメモ機能（音声入力機能）に関するアイコンを選択する。これにより、カード型記録媒体２２に記録されているボイスメモ機能を実行するアプリケーションがカード制御部１８にあるメモリにロードされて、このアプリケーションが起動し、音声データファイル制御部２６に指令が伝達される。音声データファイル制御部２６は、操作設定画面生成部２７から操作設定画面用データを受け取り、操作設定画面５０の初期画面の表示データを送出する。
【００５１】
尚、この操作設定画面は、表示部１５の表示画面全体に表示される必要はなく、例えば、カードモード切替操作前まで受信部１２からの放送信号の映像信号に対して、映像処理部１３の並列表示あるいは重畳処理表示処理によって子画面表示させたり、放送信号の映像信号をハーフトーン化して操作設定画面５０を優先的に前面表示させた状態で表示させてもよい。また、このボイスメモ動作を終了するには、リモコン２０を操作してボイスメモアプリケーションを終了すればよい。
【００５２】
次に、操作設定画面５０上の各部位ついて以下に説明する。
【００５３】
通常、ボイスメモ動作開始時では、音声データファイル制御部２６は、カード制御部１８の指令により、新規に音声データファイルを生成し、その音声データファイルを記録するモードとなっている。すなわち、記録動作識別部３０は、リモコン２０からの記録開始指令をいつでも受け付ける状態にあり、記録開始指令を受け付けると、ボイスメモ記録可能状態である旨のデータを操作設定画面生成部２７に送出する。操作設定画面生成部２７は、ボイスメモ記録状態可能の表示を行い、表示されたことを記録動作識別部３０に送り返す。これにより、記録動作識別部３０は、記録開始を示すサインの出力情報をさらに、操作設定画面生成部２７に送出する。これに従い、操作設定画面生成部２７は、サインを画面上に表示する。このサインに従って、ユーザーは、音声を発生するタイミングを知ることができる。音声データ制御部２４の音声データ入力部２５は、音声処理部１４からの音声データを直ちに入力し、音声データファイル制御部２６に伝送する。記録動作識別部３０は、リモコン２０からの記録停止指令データを受け付けるまで入力を続行する。また、その記録停止指令後、次の記録開始指令を待つ状態となる。
【００５４】
ここで、ユーザーの操作として、ボイスメモを記録したい場合に、リモコン２０を操作して記録開始状態にさせるキーを押下する。そして、記録を終了する時は、押下しているキーを離して録音を終了させる。例えば、図５に示すように、記録・停止ボックス５５は、記録可能状態であることを示す○、記録停止中であることを示す□を表示する。この場合、記録停止表示ボックス５５の右に示す数字の１は、記録又は停止を実行するリモコン２０のキーが１ＣＨキーであることをユーザーに示している。なお、ボイスメモの記録開始・停止のキー操作として、常時押下する操作を示したが、開始時にキー「オン」し、停止時にキー「オフ」とするような操作するようにしてもよい。
【００５５】
さらに、Ｇｏサインボックス５９は、記録可能状態を認識してから、ユーザーに対して、音声の発生タイミングを表す表示ボックスである。例えば、「３，２，１」というカウントダウン方式で表示されて、最後に、「Ｑ」マークを表示する。この「Ｑ」マークが出力された段階で、ボイスメモ記録中である旨のボックス６０が表示される。ここでは、△マークで示している。
【００５６】
記録時間表示ボックス５４は、カード型記録媒体２２、例えば、カード０が記録可能な時間数に対する現在録音中の記録時間の割合を示すボックスであり、ユーザーは、カードを交換するか否かの判断をすることができる。また、交換を促すに当たって、記録時間のバー表示が一定値以上（例えば、８０％以上）に達した場合、又は、残り記録時間が一定時間以内（例えば、３０秒以内）に達した時、表示形式を変更するようにしてもよい。
【００５７】
この表示形式としては、例えば、ボックス内のバーの色変更又は点滅表示してもよい。さらに、これらを併用してもよい。
【００５８】
特に、色変更の場合は、通常状態の場合は緑色、一定値以上に達した場合には赤色と表示するのが適切である。
【００５９】
録音中の音声レベル表示５３は、ボイスメモを記録中に音声処理部１４に入力された音声入力レベルを表示したものである。この録音中の音声入力レベル表示は、複数のブロック状のレベル数に区分して表示し、音声入力レベルが大きいほど、ブロック数が増加する。そして、ある一定のブロック数以上に達した時は、表示色を変更し、ユーザーに入力音声レベルを下げるように促す。この場合、表示色の変更は、ブロック全体の色を変化させてもよく、一定値以上のレベルを示すブロックのみ色を変更してもよい。表示色としては、通常の入力レベルでは緑色、大音量時には赤色で表示するのが適切である。
【００６０】
上記大音量で録音したことを音声レベル表示５３で確認した場合に、ユーザーは、リモコン２０のテレビ音量調節キーの調整操作を行い、ブロック数が適量になるようにする。これにより、再生時に、適切な音量でボイスメモを再生することができる。
【００６１】
次に、上記ボイスメモのリスト上に生成する新規のボイスメモについて説明する。
【００６２】
リモコン２０により記録開始から記録終了までの間、音声データが発生すると、音声データファイル制御部２６は、１個のボイスメモファイルを生成し、一時的に保存する。この生成されたボイスメモファイルは、操作設定画面生成部２７によって、ボイスメモリスト５６上に追加される。この音声データファイルは、音声データとともに、メモの属性、記録日時が書き込まれて構成される。ここで、属性とは、例えば、緊急性（家族全員対するメッセージ）メッセージ、家族の各メンバに対するメッセージであるかどうかの識別データをいう。このように、ボイスメモを記録する際は、操作設定画面５０上にメッセージを伝達する相手を特定し、そのメッセージの特性（緊急性の有無）をあらわす属性を指定するメッセージタイトルボックス５２が設けられている。
【００６３】
このタイトルとしては、例えば、「Ｆｏｒ  Ｍｏｍ（お母さんへ）」、「Ｆｏｒ  Ｄａｄ（お父さんへ）」、「Ｆｏｒ  Ｋｉｄｓ（子供たちへ）」あるいは「Ｕｒｇｅｎｔ！（緊急）」等というメッセージタイトルが用意されている。そして、録音操作するユーザーがこれらのメッセージタイトルを選択した上で録音操作を行うことにより、メッセージを聞くべきユーザーが特定されるので、聞く必要のないユーザーの操作を誤って聞いてしまう事態を防止することができる。また、ユーザーに緊急のメッセージであることを伝えることも可能である。
【００６４】
メッセージタイトルボックス５２で、メッセージタイトルに「緊急」を指定して、記録終了が行われると、音声データファイル制御部２６は、この音声データファイルから「緊急」を認識して、ファイルの保存中又は保存直後にボイスメモリスト５６の表示内で優先的に表示する。これにより、保存又は記録された複数個のボイスメモのうち緊急性を有するものから優先的かつ迅速に聞くことが可能である。
【００６５】
更に、属性が「緊急」であるファイルの中でも、より先に保存された時刻を有するファイルが優先的にボイスメモリリスト５６上に表示するものとする。
【００６６】
次に、上記リスト表からボイスメモを選択して再生する場合について説明する。
【００６７】
ボイスメモ動作起動後、リモコン２０の操作によって、カード制御部１８を上述した記録モードから再生モードに換えることが可能である。
【００６８】
操作設定画面５０のカード選択ボックス５１は、他のボイスメモカードを選択するボックスである。これにより、過去に記録されているボイスメモを再生することができる。
【００６９】
上記ボイスメモリスト５６に表示された各種メモのうち、ユーザーの選択によってリスト内でカーソル５８（太線で記載の枠）が移動し、選択したメモに対して、リモコン２０のＯＫキー（例えば、決定キーや確定キーであってもよい）を押下操作することにより、選択したメモの再生処理が行われる。
【００７０】
ボイスメモを保存する必要がなくなったときは、リスト表示上でその必要がなくなったファイルを指定して削除することができる。メッセージ削除表示ボックス５７の右に示す数字の２が、削除を実行するリモコン２０のキーが２ＣＨキーであることをユーザーに示している。
【００７１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００７２】
【図１】本発明に係る映像表示装置の実施形態の構成を示すブロック図である。
【図２】（ａ）は、カード型記録媒体をスロット部に装着した状態を示す図である。（ｂ）は、カード型記録媒体をスロット部に脱着しようとする状態を示す図である。
【図３】図１からボイスメモ機能部分を抜き出したボイスメモ機能ブロック図である。
【図４】ボイスメモの音声データファイルの生成・消去の制御を行う音声データ制御部のブロック図である。
【図５】ボイスメモの操作画面の表示状態を示す図である。
【符号の説明】
【００７３】
９    ＲＯＭ
１０  映像表示装置
１１  アンテナ
１２  受信部
１３  映像出力部
１４  音声処理部
１５  表示部
１６  スピーカ
１７  スロット部
１８  カード制御部
１９  ＣＰＵ
２０  操作部
２１  選択部
２２  カード記録媒体
２３  アンプ
２４  音声データ制御部
２５  音声入力部
２６  音声データファイル制御部
２７  操作設定画面生成部
２８  カード制御インタフェース
２９  選択部インタフェース
３０  記録動作識別部
３１  カード用コネクタ
３２  プッシュロッド
３３  排出準備状態検出センサ
３４  信号検出部
４１  サウンドプロセッサ
４２  音声環境切替手段
４３  パラメトリックイコライザ
５０  ボイスメモ操作設定画面
５１  カード選択ボックス
５２  ボイスメモタイトルボックス
５３  音声入力レベル表示ボックス
５４  記録時間表示
５５  記録・停止表示ボックス
５６  ボイスメモリスト
５７  メッセージ削除表示ボックス
５８  カーソル
５９  ＧＯサインボックス
６０  記録中ボックス
【図１】
2005292648.tif 000003
【図２】
2005292648.tif 000004
【図３】
2005292648.tif 000005
【図４】
2005292648.tif 000006
【図５】
2005292648.tif 000007